(57)【要約】【課題】この発明は、構成簡易にして、収容体と折り曲げ収容した印刷基板との導通の防止を実現して、小型化の促進と共に、印刷基板の高密度実装化を図り得るようにすることにある。【解決手段】先端硬質部２０に内装する切替回路部２６を、基板部２６ａが、柔軟性を有した折曲部２６ｂを介して折り曲げ自在に連設されたフレキシブル基板２６１で形成し、このフレキシブル基板２６１を、その基板部２６ａから折り曲げて積重状に折畳んで一対のスペーサ２６２，２７３で挟装して、該スペーサ２６２，２６３で先端硬質部２０内に所定距離、離間させると共に、折り曲げ状態を保持して内装するように構成した。【選択図】図３
2007229085.tif 000002
【特許請求の範囲】
【請求項１】
外部機器に着脱されるコネクタ部と、
前記コネクタ部の接点に電気的に接続されるものであって、弾性を有した弾性部を備え複数の基板部が折り曲げ自在に連設された内視鏡回路部が実装される印刷基板と、
前記印刷基板が、前記複数の基板部を前記弾性部から折り曲げた状態で収容される収容体と、
前記収容体に折り曲げ収容された前記印刷基板を、前記収容体に対して離間させると共に、折り曲げ状態を保持する離間手段と、
を具備することを特徴とする内視鏡。
【請求項２】
前記収容体は、前記コネクタ部を形成することを特徴とする請求項１記載の内視鏡。
【請求項３】
前記離間手段は、前記収容体内の導電部位と前記折り曲げ収容された印刷基板との間の少なくとも一部に介在されるスペーサであることを特徴とする請求項１又は２記載の内視鏡。
【請求項４】
前記スペーサは、絶縁性を有することを特徴とする請求項３記載の内視鏡。
【請求項５】
前記絶縁性を有するスペーサは、前記折り曲げ収容された印刷基板の少なくともスルーホールと前記収容体内の導電部位と間に介在されることを特徴とする請求項４記載の内視鏡。
【請求項６】
前記離間手段は、前記折り曲げ収容された印刷基板の周囲に巻回される絶縁テープであることを特徴とする請求項１又は２記載の内視鏡。
【請求項７】
前記離間手段は、前記収容体に折り曲げ収容した印刷基板を前記弾性部の復帰力に抗して折り曲げ位置に保持して離間させることを特徴とする請求項１又は２記載の内視鏡。
【請求項８】
前記印刷基板は、弾性を有した折り曲げ自在なフレキシブル基板で形成されることを特徴とする請求項１乃至７のいずれか記載の内視鏡。
【請求項９】
前記印刷基板は、複数の硬質基板を、弾性を有した弾性部で折り曲げ自在に連設したことを特徴する請求項１乃至７のいずれか記載の内視鏡。
【発明の詳細な説明】
【技術分野】
【０００１】
この発明は、例えば複数の撮像手段を備えて異なる観察等の多機能化の促進を可能とする内視鏡に関する。
【背景技術】
【０００２】
一般に、内視鏡は、細長い挿入部を体腔内に挿入して、この挿入部に配した撮像手段を用いて体腔内の観察等を行うことが知られている。このような内視鏡においては、観察画像を得るための撮像手段を挿入部の先端部に配設し、この撮像手段を用いて観察目的に応じた適切な画像を得るために、種類の異なる複数の撮像手段を搭載して多機能化を図ったり、その他の各種の機能を付加して多機能化を図るように構成したものが提案されている（例えば、特許文献１参照。）。
【０００３】
ところが、このような多機能化を図った内視鏡では、例えば複数の撮像手段を備える構成の場合、複数のスコープケーブルや複数の画像処理系が必要となるために、回路構成が複雑となり、印刷基板に実装する回路部品の実装量が多くなり、大型となるという不都合を有する。
【０００４】
そこで、多機能化を実現する印刷基板構造として、搭載する印刷基板を、硬質基板部と軟性基板部とを備えたフレキシブル基板を用いて軟性基板部の柔軟性を利用して硬質基板を所定形状に折り曲げて、例えばコネクタ部等の収容体内に内装することにより、収容体の小型を図ったうえで、回路部品の実装量の増加を可能とした構成のものが提案されている（例えば、特許文献２参照）。
【特許文献１】特開平６−１５４１５５号公報
【特許文献２】特開２００５−１９２６３９号公報
【発明の開示】
【発明が解決しようとする課題】
【０００５】
しかしながら、上記印刷基板構造では、フレキシブル基板の軟性基板を弾性力に抗して所定形状に折り曲げ、その折り曲げ位置で、例えば仮止めテープ等を用いて仮止めして収容体内に収容する構成のために、その仮止めが外れると、軟性基板の復帰力により折り曲げ位置から展開位置に復帰されて、その一部が収容体内に接触して導通する虞を有する。このため、フレキシブル基板の実装密度の高密度化に制約を有すると供に、収容体の小型化の促進に制約を有する。
【０００６】
この発明は、上記の事情に鑑みてなされたもので、収容体と折り曲げ収容した印刷基板との導通の防止を実現して、小型化の促進と共に、印刷基板の高密度実装化の促進を図り得るようにした内視鏡を提供することを目的とする。
【課題を解決するための手段】
【０００７】
この発明は、外部機器に着脱されるコネクタ部と、前記コネクタ部の接点に電気的に接続されるものであって、弾性を有した弾性部を備え複数の基板部が折り曲げ自在に連設された内視鏡回路部が実装される印刷基板と、前記印刷基板が、前記複数の基板部を前記弾性部から折り曲げた状態で収容される収容体と、前記収容体に折り曲げ収容された前記印刷基板を、前記収容体に対して離間させると共に、折り曲げ状態を保持する離間手段とを備えて内視鏡を構成した。
【０００８】
上記構成によれば、印刷基板は、複数の基板部が弾性部から折り曲げられて収容体に収容されると、離間手段により、折り曲げ収容された状態で、収容体に対して離間されると共に、折り曲げ状態が保持される。従って、収容体の小型化の促進を図ったうえで、印刷基板の実装量の高密度化を図ることが可能となる。
【発明の効果】
【０００９】
以上述べたように、この発明によれば、収容体と折り曲げ収容した印刷基板との導通の防止を実現して、小型化の促進と共に、印刷基板の高密度実装化の促進を図り得るようにした内視鏡を提供することができる。
【発明を実施するための最良の形態】
【００１０】
以下、この発明の実施の形態に係る内視鏡ついて、図面を参照して説明する。
【００１１】
図１は、この発明の一実施の形態の適用された内視鏡システム１４の全体の概略構成を示すもので、内視鏡１６には、体腔内に挿入される細長い挿入部１８を備える。この挿入部１８は、収容体を構成する硬質の先端硬質部２０、湾曲操作される湾曲部２１、長尺で可撓性の可撓管部２４を先端側から順に連結することにより形成されている。
【００１２】
先端硬質部２０の先端部には、体腔内の患部に送気送水を行うと共に、患部を処置する処置具を突出させる先端開口２２が形成されている。
【００１３】
また、先端硬質部２０の先端部には、観察画像を撮像するための複数の撮像手段が配設されている。本実施形態では、先端硬質部２０の先端部には、通常光観察を行うための第１の撮像ユニット２４ａと、蛍光観察を行うための第２の撮像ユニット２４ｂとが並設されている。これら第１及び第２の撮像ユニット２４ａ，２４ｂには、通常光観察用の通常光及び蛍光観察用の励起光を照射するための図示しない照明レンズが並設されている。
【００１４】
一方、先端硬質部２０の後端側には、第１及び第２の撮像ユニット２４ａ，２４ｂと電気的に接続されている内視鏡回路部を構成する切替手段である切替回路部２６が収容されている。この切替回路部２６は、後述するように、第１の撮像ユニット２４ａと第２の撮像ユニット２４ｂとのいずれの撮像ユニット２４ａ，２４ｂと電気コネクタ２８とを接続するかを切替可能になっている。
【００１５】
挿入部１８の基端部には、操作部２７が連結されている。この操作部２７は、術者に把持される先端側の把持部シーケンス３０を有する。この把持部シーケンス３０には、処置具を挿入するための処置具挿入口３２が形成されている。この処置具挿入口３２の内端部には、第１のチャンネル３４ａが接続され、この第１のチャンネル３４ａは、把持部シーケンス３０及び挿入部１８を挿通されて、先端硬質部２０の先端開口２２に接続されている。そして、処置具挿入口３２から処置具を挿入して、第１のチャンネル３４ａを挿通させることにより、先端開口２２から処置具が突出されるようになっている。
【００１６】
把持部シーケンス３０の後端側には、操作部シーケンス３６が一体的に連結されている。この操作部シーケンス３６の側面には、湾曲部２１を湾曲操作するための上下湾曲ノブ３８ａ及び左右湾曲ノブ３８ｂが共軸に枢支されている。これら上下湾曲ノブ３８ａ及び左右湾曲ノブ３８ｂを回転操作することにより、湾曲部２１を４方向に湾曲操作することが可能である。以下では、操作部シーケンス３６において、上下湾曲ノブ３８ａ及び左右湾曲ノブ３８ｂが配設されている側を表側と称する。
【００１７】
操作部シーケンス３６には、先端硬質部２０の先端開口２２からの送気送水を操作するための送気送水スイッチ４０が配設されている。また、操作部シーケンス３６では、先端硬質部２０の切替回路部２６を作動させるための切替スイッチ４２が送気送水スイッチ４０に並設されている。そして、操作部２７からユニバーサルケーブル４４が延出され、ユニバーサルケーブル４４の延出端部にはコネクタ部４９が配設されている。
【００１８】
このコネクタ部４９には、送気送水装置４７に接続される送気送水口金４８が配設されている。この送気送水口金４８の内端部には、第２のチャンネル３４ｂが接続され、この第２のチャンネル３４ｂは、ユニバーサルケーブル４４及び操作部２７を挿通されて、把持部シーケンス３０内で第１のチャンネル３４ａに合流している。そして、送気送水スイッチ４０を操作することにより、送気送水装置４７から、送気送水口金４８、第２及び第１のチャンネル３４ｂ，３４ａ並びに先端開口２２を介して、患部への送気送水が行われるようになっている。
【００１９】
また、コネクタ部４９には、光源装置５０に接続される光源コネクタ５２が配設されている。この光源コネクタ５２の内端部には、ライトガイドが接続され、このライトガイドは、ユニバーサルケーブル４４、操作部２７及び挿入部１８を挿通されて、先端硬質部２０の照明レンズに接続されている。また、光源装置５０は、操作部２７の切替スイッチ４２を操作することにより、通常光観察用の通常光と蛍光観察用の励起光とを選択的に生成する。そして、光源装置５０から、光源コネクタ５２、ライトガイド及び照明レンズを介して、患部に通常光あるいは励起光が照射される。
【００２０】
さらに、コネクタ部４９には、先端硬質部２０の切替回路部２６に電気的に接続されている電気コネクタ２８が配設されている。この電気コネクタ２８は、スコープケーブル４５を介して、信号処理を行う外部機器としてのプロセッサ４６に接続されている。
【００２１】
上記切替回路部２６は、例えば図２に示すように内視鏡回路部の形成される複数、例えば３枚の基板部２６ａが折り曲げ可能な弾性を有した弾性部である折曲部２６ｂを介して折り曲げ自在に連設された印刷基板であるフレキシブル基板２６１に実装される。このフレキシブル基板２６１の基板部２６ａには、例えば基板面側部に、位置決め用の突部２６ｃが対設する基板部２６ａの基板面に対向して設けられ、折曲部２６ｂより所定の位置まで折り曲げられると、その突部２６ｃが対設される基板部２６ａの基板面に当接されて積重状に折り畳まれる。
【００２２】
上記切替回路部２６を構成するフレキシブル基板２６１は、上記先端硬質部２０内に内装する場合、先ず、フレキシブル基板２６１の３枚の基板部２６ａを折曲部２６ｂから順に折り曲げて、その突部２６ｃの先端が、対設する基板部２６ａの面に当接されて所定の間隔を有して積重状されるまで折り曲げられる。そして、この積重状に折り曲げられたフレキシブル基板２６１は、その３枚の基板部２６ａが、離間手段を構成する例えば絶縁性材料製の一対のスペーサ２６２，２６３で挟装される（図３参照）。
【００２３】
この一対のスペーサ２６２，２６３は、例えば上記先端硬質部２０の内壁と導電部位との間に形成される空間に対応して形状寸法が設定され、積重状に折り曲げられたフレキシブル基板２６１を挟装して、先端硬質部２０内の空間に収容されて、空間を形成する先端硬質部２０の内壁及び導電部位に当接される。ここで、スペーサ２６２，２６３は、挟装したフレキシブル基板２６１を折り曲げ状態で積重状に保持すると共に、そのフレキシブル基板２６１を周囲の金属部等の導電部位から離間させて導通を阻止して、電気的に分離する。この結果、先端硬質部２０に内装された切替回路部２６を構成するフレキシブル基板２６１は、最小限の収容空間で、電気的に信頼性の高い高品質な内装が可能となり、先端硬質部２０の太径化を図ることなく、高密度実装化の促進を図ることができる。
【００２４】
次に、上記内視鏡システム１４の制御系について、図４を参照して説明する。  
即ち、内視鏡１６の送気送水スイッチ４０を操作すると、送気送水信号ΦＳＷ１が送気送水装置４７に出力されて、該送気送水装置４７が作動される。また、内視鏡システム１４は、内視鏡１６の切替スイッチ４２を操作することにより、第１の撮像ユニット２４ａを用いて通常光観察画像を得る通常光観察モードと、第２の撮像ユニット２４ｂを用いて蛍光観察画像を得る蛍光観察モードとの間で切り替えられる。
【００２５】
具体的には、切替スイッチ４２を切替操作することにより、光源装置５０、情報リレー回路６４、切替回路部２６の第１及び第２のリレー回路６６ａ，６６ｂに切替信号ΦＳＷ２が出力される。そして、光源装置５０が内視鏡１６に供給する照明光が、通常光と励起光との間で切り替わると共に、情報リレー回路６４、第１のリレー回路６６ａ、及び、第２のリレー回路６６ｂが、第１の撮像ユニット２４ａ側と第２の撮像ユニット２４ｂ側との間で切り替えられる。なお、内視鏡システム１４の起動時には、内視鏡システム１４は通常光観察モードにある。
【００２６】
通常光観察モードでは、第１のＣＣＤ情報記憶部６８ａから、第１の情報信号ΦＤ１が、第１の撮像ユニット２４ａ側に切り替えられている情報リレー回路６４を介して、プロセッサ４６の駆動回路７０に出力される。
【００２７】
第１の情報信号ΦＤ１を入力された駆動回路７０は、第１の垂直転送パルス信号ΦＰ１を、第１の撮像ユニット２４ａ側に切り替えられている第２のリレー回路６６ｂを介して、第１の撮像ユニット２４ａに出力する。そして、駆動回路７０は、第１のトランスファーゲートパルス信号ΦＴ１を、第１の撮像ユニット２４ａ側に切り替えられている第１のリレー回路６６ａを介して第１の撮像ユニット２４ａに出力する。さらに、駆動回路７０は、第１の水平転送パルス信号ΦＳ１を、第１のリレー回路６６ａを介して第１の撮像ユニット２４ａに出力する。
【００２８】
この後、第１の撮像ユニット２４ａは、第１の映像信号Ｖｏｕｔ１を、第１の撮像ユニット２４ａ側に切り替えられている第２のリレー回路６６ｂを介して、プロセッサ４６の映像処理回路７２に出力する。第１の映像信号Ｖｏｕｔ１を入力された映像処理回路７２は、信号処理を行い、モニター７４に通常光観察画像を表示させる。
【００２９】
一方、蛍光観察モードでは、第２のＣＣＤ情報記憶部６８ｂから、第２の情報信号ΦＤ２が、第２の撮像ユニット２４ｂ側に切り替えられている情報リレー回路６４を介して、プロセッサ４６の駆動回路７０に出力される。この実施形態では、第１の情報信号ΦＤ１をＨレベル信号、第２の情報信号ΦＤ２をＬレベル信号としている。
【００３０】
通常光観察モードと同様に、駆動回路７０は、第２の垂直転送パルス信号ΦＰ２を、第２の撮像ユニット２４ｂ側に切り替えられている第２のリレー回路６６ｂを介して、第２の撮像ユニット２４ｂに出力する。また、駆動回路７０は、上記第２の水平転送パルス信号ΦＳ２、及び、第２のリセットパルス信号ΦＲＳ２を、第２の撮像ユニット２４ｂ側に切り替えられている第１のリレー回路６６ａを介して第２の撮像ユニット２４ｂに出力する。
【００３１】
この後、第２の撮像ユニット２４ｂは、第２の映像信号Ｖｏｕｔ２を、第２の撮像ユニット２４ｂ側に切り替えられている第２のリレー回路６６ｂを介して、プロセッサ４６の映像処理回路７２に出力する。映像処理回路７２は、モニター７４に蛍光観察画像を表示させる。
【００３２】
次に、上記内視鏡システム１４の作用について説明する。先ず、内視鏡システム１４を用いて観察を行う際には、内視鏡１６のコネクタ部４９を送気送水装置４７及び光源装置５０に接続すると共に、コネクタ部４９を、スコープケーブル４５を介してプロセッサ４６に接続し、送気送水装置４７、光源装置５０及びプロセッサ４６を起動する。この起動時、内視鏡システム１４は、通常光観察モードにあり、光源装置５０は、通常光を生成し、内視鏡１６の情報リレー回路６４並びに第１及び第２のリレー回路６６ａ，６６ｂは第１の撮像ユニット２４ａ側に切り替えられている。
【００３３】
ここで、内視鏡１６の挿入部１８を体腔内に挿入して、先端硬質部２０を体腔内の患部に対面させる。光源装置５０から、通常光が光源コネクタ５２、ライトガイド及び照明レンズを介して患部に供給され、通常光によって患部が照明される。そして、第１のＣＣＤ情報記憶部６８ａから情報リレー回路６４を介して第１の情報信号ΦＤ１がプロセッサ４６の駆動回路７０に入力され、駆動回路７０によって第１の撮像ユニット２４ａが駆動される。
【００３４】
すると、この第１の撮像ユニット２４ａからプロセッサ４６の映像処理回路７２へと第１の映像信号Ｖｏｕｔ１が出力されて、モニター７４に通常光観察画像が表示される。これにより、術者は、モニター７４の通常光観察画像を観察しながら、診断、処置等を行う。必要ならば、送気送水スイッチ４０を操作して、患部に送気送水を行う。
【００３５】
術者は、蛍光観察により患部をより詳しく診断したいと望む場合には、切替スイッチ４２を操作して内視鏡システム１４を蛍光観察モードに切り替える。切替スイッチ４２を操作すると、光源装置５０は励起光を発生し、励起光が光源コネクタ５２、ライトガイド及び照明レンズを介して患部に照射される。
【００３６】
また、内視鏡１６の情報リレー回路６４並びに第１及び第２のリレー回路６６ａ，６６ｂは、第２の撮像ユニット２４ｂ側に切り替えられる。そして、第２のＣＣＤ情報記憶部６８ｂから情報リレー回路６４を介して第２の情報信号ΦＤ２がプロセッサ４６の駆動回路７０に出力される。そして、駆動回路７０によって第２の撮像ユニット２４ｂが作動され、モニター７４に蛍光観察画像が表示される。
【００３７】
励起光が照射されると、癌組織等はその励起光を吸収して正常な組織よりも弱い蛍光を発するため、蛍光観察画像を用いることにより、患部のより詳しい診断が可能となる。
【００３８】
このように、上記内視鏡１６は、先端硬質部２０に内装する切替回路部２６を、基板部２６ａが、柔軟性を有した折曲部２６ｂを介して折り曲げ自在に連設されたフレキシブル基板２６１で形成し、このフレキシブル基板２６１を、その基板部２６ａから折り曲げて積重状に折畳んで一対のスペーサ２６２，２６３で挟装して、該スペーサ２６２，２６３で先端硬質部２０内に所定距離、離間させると共に、折り曲げ状態を保持して内装するように構成した。
【００３９】
これによれば、積重状に折り曲げ収容したフレキシブル基板２６１を、スペーサ２６２，２６３を介して先端硬質部２０内に離間させると共に、折り曲げ状態が保持されて内装されることにより、小さな収容スペースで、電気的に信頼性の高い高品質な内装が可能となる。この結果、フレキシブル基板２６１の高密度実装化を図ったうえで、細径な先端硬質部２０を実現することができる。
【００４０】
なお、上記実施の形態では、内視鏡回路部を構成する切替回路部２６を、先端硬質部２０の後端側に配するように構成した場合で説明したが、これに限ることなく、その他、内視鏡１６の可撓管部２４内に配置したり、あるいは図５、図６及び図７、図８乃至図  １２に示すように配置構成することも可能である。
【００４１】
これら、いずれの実施の形態においても、上述した先端硬質部２０に内装した場合と同様に、収容体である把持部シーケンス３０、操作部シーケンス３６、電気コネクタ２８の小型化を確保したうえで、切替回路部２６を構成するフレキシブル基板２６１の回路部品の実装量の高密度化を図ることができる。但し、この図５、図６及び図７、図８乃至図２０においては、上記図１乃至図４と同一部分について同一符号を付して、その詳細な説明を省略する。
【００４２】
先ず、図５に示す実施の形態では、操作部２７の把持部シーケンス３０を収容体として、この把持部シーケンス３０内に、上記図２及び図３と略同様に３枚の基板部２６ａが折曲部２６ｂを介して積重状に折り曲げ自在に連設される印刷基板であるフレキシブル基板２６１で形成した切替回路部２６を、一対のスペーサ２６２，２６３で挟装して内装するように構成される。
【００４３】
即ち、把持部シーケンス３０内には、挿入部１８から延出されている第１のチャンネル３４ａが挿入され、この第１のチャンネル３４ａは、把持部シーケンス３０に形成されている処置具挿入口３２の内端部に接続されている。また、第１のチャンネル３４ａは、把持部シーケンス３０内で第２のチャンネル３４ｂへと分岐され、この第２のチャンネル３４ｂは、操作部２７の操作部シーケンス３６へと挿入されている。そして、この把持部シーケンス３０内には、その処置具挿入口３２に対向する内壁面に上記フレキシブル基板２６１で構成される切替回路部２６がスペーサ２６２，２６３で挟装されて周囲壁等の周囲部位に対して離間させると共に、折り曲げ状態を保持して内装される。
【００４４】
この実施の形態の場合には、内視鏡１６の挿入部１８に切替回路部２６が配設されておらず、さらに挿入部１８を細径化することが可能となっている。
【００４５】
また、図６及び図７に示す実施の形態では、操作部２７の操作部シーケンス３６を収容体として、この操作部シーケンス３６内に、上記図２及び図３と略同様に３枚の基板部２６ａが、柔軟性を有した折曲部２６ｂを介して折曲げ自在に連設した印刷基板であるフレキシブル基板２６１で形成した切替回路部２６を一対のスペーサ２６２，２６３で挟装して操作部シーケンス３６に対して離間させると共に、折り曲げ状態を保持して内装される。
【００４６】
即ち、操作部シーケンス３６の上部壁の内面には、下部壁へと突出する係止部７６が操作部２７の長手方向に延設されている。この係止部７６の下端面には、操作部２７の長手方向に係止溝７８が延設されている。この係止溝７８には、導電部位である金属材料製のフレーム８０が嵌入固定され、このフレーム８０は、操作部シーケンス３６の両側面に略平行に配置されて、操作部シーケンス３６内で表側空間と裏側空間とを規定している。
【００４７】
ところで、内視鏡１６の湾曲部２１（図１参照）は、円筒状の湾曲コマを互いに共軸となるように回動可能に連結していくことにより形成され、最先端の湾曲コマに接続され挿入部１８及び操作部２７を挿通されている操作ワイヤーを進退させることにより湾曲部２１（図１参照）が湾曲操作される。
【００４８】
操作部シーケンス３６内には、上下湾曲ノブ３８ａ及び左右湾曲ノブ３８ｂへの回転操作を進退操作に変換して、操作ワイヤーを進退させるアングルメカ８２が収容されている。このアングルメカ８２は、操作部シーケンス３６内のフレーム８０の表側面に固定され、操作部シーケンス３６内の表側空間で操作部２７の長手方向の略全長に渡って配置されている。
【００４９】
そして、上記積重状に折り曲げ収容されたフレキシブル基板２６１で構成される切替回路部２６は、操作部シーケンス３６内のフレーム８０の裏側面に一方側のスペーサ２６２が当接され、他方側のスペーサ２６３が操作部シーケンス３６内の裏側空間で操作部シーケンス３６の内壁に当接された状態で保持されて内装される。この際、フレキシブル基板２６１は、操作部シーケンス３６内においてスペーサ２６２，２６３が協働してフレーム８０に対して電気的に分離された状態で位置決め保持されて内装される。
【００５０】
上記実施の形態によれば、フレキシブル基板２６１は、操作部シーケンス３６内のフレーム８０との狭い空間に電気的に分離された状態で内装することが可能となることにより、実装密度の高密度化を、操作シーケンス３６の小型化を確保したうえで実現することができる。
【００５１】
また、これによれば、操作部シーケンス３６内で、切替回路部２６をアングルメカ８２の配置されている表側ではなく裏側に配置しているため、切替回路部２６によって操作ワイヤーの進退操作が妨げられることがなく、操作ワイヤーの進退操作を確実に行うことができる。
【００５２】
さらに、図８乃至図１６に示す実施の形態では、上記内視鏡回路部を構成する切替回路部２６が、コネクタ部４９の電気コネクタ２８に内装される。
【００５３】
即ち、上記電気コネクタ２８は、図８に示すようにコネクタ部４９に突設されている口金８４が設けられる。この口金８４は、導電性で、略円筒形状に形成され、コネクタ部４９のハウジングであるコネクタケース８６に形成されている円形開口に嵌挿されている。また、口金８４の外周部には第１のフランジ部８８が形成され、第１のフランジ部８８がコネクタケース８６に当接されねじ止めされることにより、口金８４がコネクタケース８６に固定されている。
【００５４】
口金８４の内周面には、全周にわたって係止用凸部９０が形成され、略円板状のカバー部材９２が、口金８４の内腔に内側開口から嵌挿されて係止用凸部９０に当接され接着固定されている。また、略円柱状の絶縁性のインシュレータ９４が、口金８４の内側開口から嵌挿されてカバー部材９２の内端面に当接され接着固定されている。なお、インシュレータ９４と口金８４とは、第１のパッキン９６ａを介して接着固定され、インシュレータ９４と口金８４との間が水密に保持されている。そして、インシュレータ９４の内端面には、円板状の基板９８が第２のパッキン９６ｂを介して接着固定され、インシュレータ９４と基板９８との間が水密に保持されている。
【００５５】
カバー部材９２、インシュレータ９４及び基板９８には、複数の単線ピン１００Ｔ，…，１００Ｄ、ポストピン１０２、及び、複数の同軸ピン（バーンディ）１０４Ｓ，１０４Ｖが貫通されている。このうち単線ピン１００Ｔ，…，１００Ｄ及び同軸ピン１０４Ｓ，１０４Ｖの外端側は、カバー部材９２から外側へと突出され、スコープケーブル４５（図４参照）に接続されるようになっている。また、ポストピン１０２の外端側は、単線ピン１００Ｔ，…，１００Ｄ及び同軸ピン１０４Ｓ，１０４Ｖの外端部よりもさらに外側へと突出され、操作者が口金８４内に手をいれた場合に、単線ピン１００Ｔ，…，１００Ｄ及び同軸ピン１０４Ｓ，１０４Ｖよりも先に操作者の手に触れて、操作者の静電気を逃がすようになっている。
【００５６】
上記単線ピン１００Ｔ，…，１００Ｄ、ポストピン１０２及び同軸ピン１０４Ｓ，１０４Ｖは、インシュレータ９４に接着固定されている。そして、単線ピン１００Ｔ，…，１００Ｄ、ポストピン１０２及び同軸ピン１０４Ｓ，１０４Ｖの内端側は、基板９８のスルーホール１０６を挿通されて、基板９８のスルーホール１０６において半田付けされている。さらに、単線ピン１００Ｔ，…，１００Ｄ及び同軸ピン１０４Ｓ，１０４Ｖの内端側は、基板９８から突出されて、基板９８の内端面側に口金８４と共軸に配置されている収容体を構成する導電部位であるシールド筒１１０内へと延出されている。
【００５７】
また、同軸ピン１０４Ｓ，１０４Ｖには、その芯線１０４Ｓａ，１０４Ｖａに対して帯状に突出したグランド接続部１０４Ｓｂ，１０４Ｖｂが同軸的に延設される。そして、この芯線１０４Ｓａ，１０４Ｖａの周囲には、離間部材である絶縁部材２００が夫々挿着され、この絶縁部材２００を挟んでグランド接続部１０４Ｓｂ，１０４Ｖｂが所定の間隔に離間配置される（図９参照）。これにより、同軸ピン１０４Ｓ，１０４Ｖの芯線１０４Ｓａ，１０４Ｖａとグランド接続部１０４Ｓｂ，１０４Ｖｂとの電気的接続の防止がなされ、また、芯線１０４Ｓａ，１０４Ｖａ及びグランド接続部１０４Ｓｂ，１０４Ｖｂの変形・破断が防止される。
【００５８】
なお、この同軸ピン１０４Ｓ，１０４Ｖは、その芯線１０４Ｓａ，１０４Ｖａに対して例えば図１０に示すように先端側を幅狭な段状に突出させたグランド接続部１０４Ｓｃ，１０４Ｓｃを設けたり、あるいは図１１に示すように先細りをした略三角形形状に突出させたグランド接続部１０４Ｓｄ，１０４Ｖｄを設けて構成するようにしてもよい。この構成によれば、グランド接続部１０４Ｓｃ，１０４Ｖｃ（１０４Ｓｄ，１０４Ｖｄ）の強度が高められて、折れたりするのが防止され、その配線接続を含む組付け作業時及び輸送時、フレキシブル基板９９を取外す、いわゆるリペア時における取扱い性の向上を図ることが可能となる。そして、このグランド接続部１０４Ｓｃ，１０４Ｖｃ（１０４Ｓｄ，１０４Ｖｄ）においても、同様に芯線１０４Ｓａ，１０４Ｖａの周囲に絶縁性部材２００を配して、相互間の電気的分離を行うように構成することにより、さらに、折れたりする損傷防止の促進を図ることができる。
【００５９】
上記シールド筒１１０の、基板９８側の端部には、第２のフランジ部１１１が形成され、第２のフランジ部１１１の外周面に形成されている雄ねじ１１１ａ（図１２参照）が、口金８４の内周面の内端部に形成されている雌ねじに螺合されている。そして、口金８４にシールド筒１１０を捻じ込むことにより、基板９８の周縁部とシールド筒１１０の第２のフランジ部１１１とが当接され、基板９８の周縁部に形成されているグランドランドとシールド筒１１０とが電気的に接続されている。さらに、シールド筒１１０と口金８４とは、螺合部分を介して電気的に接続されている。
【００６０】
一方、シールド筒１１０の内端部には、シールド筒１１０の内端開口を覆う導電性のシールド蓋１１２がねじ止めされている。このシールド蓋１１２には、上記ユニバーサルケーブル４４（図１参照）から延出されている伝送ケーブル１１４が、挿通された状態で、該挿通孔の近傍にビス１１５ａによってシールドに取り付けられている固定板１１５ｂによって固定ゴム１１５ｃを介して固定されている。
【００６１】
この伝送ケーブル１１４の先端部は、シールド蓋１１２に形成されている開口１１２ａを介してシールド筒１１０内に挿入されている。シールド筒１１０内に挿入されている伝送ケーブル１１４は、印刷基板であるフレキシブル基板９９を介して、単線ピン１００Ｔ，…，１００Ｄ及び同軸ピン１０４Ｓ，１０４Ｖに電気的に接続されている。これにより、シールド筒１１０は、シールド蓋１１２が被着されると、その内部に収容されたフレキシブル基板９９が磁気的に遮蔽（シールド）されることにより、外部からの電磁場によってノイズが発生することが防止される。
【００６２】
次に、上記フレキシブル基板９９を介する伝送ケーブル１１４と単線ピン１００Ｔ，…，１００Ｄ及び同軸ピン１０４Ｓ，１０４Ｖとの電気的接続について詳細に説明する。即ち、伝送ケーブル１１４には、送気送水スイッチ４０から延出されている送気送水ケーブル１１７ＳＷ１、切替スイッチ４２から延出されている切替ケーブル１１７ＳＷ２、情報リレー回路６４から延出されている情報ケーブル１１７Ｄ、第１の撮像ユニット２４ａから延出されている第１の撮像ケーブル１１７Ｃ１、及び、第２の撮像ユニット２４ｂから延出されている第２の撮像ケーブル１１７Ｃ２が挿通されている。
【００６３】
これら送気送水ケーブル１１７ＳＷ１、切替ケーブル１１７ＳＷ２、及び、情報ケーブル１１７Ｄには、夫々、送気送水信号ΦＳＷ１、切替信号ΦＳＷ２、及び、情報信号ΦＤ１，ΦＤ２を伝送する単線電線の送気送水信号線、切替信号線及び情報信号線が挿通されている。
【００６４】
また、第１の撮像ケーブル１１７Ｃ１には、第１の垂直転送パルス信号ΦＰ１、第１の水平転送パルス信号ΦＳ１、第１のトランスファーゲートパルス信号ΦＴ１、及び、第１の映像信号Ｖｏｕｔ１を伝送する同軸線の第１の垂直転送パルス信号線、第１の水平転送パルス信号線、第１のトランスファーゲートパルス信号線、及び、第１の映像信号線が挿通されている。第２の撮像ケーブル１１７Ｃ２については、第２の垂直転送パルス信号線、第２の水平転送パルス信号線、第２のリセットパルス信号線、及び、第２の映像信号線が挿通されている。
【００６５】
一方、単線ピンには、送気送水信号用単線ピン１００ＳＷ１、切替信号用単線ピン１００ＳＷ２、及び、情報信号用単線ピン１００Ｄが含まれる。さらに、単線ピンには、一対の垂直転送パルス信号用単線ピン１００Ｐ，１００Ｐ’、一対のトランスファーゲートパルス／リセットパルス信号用単線ピン１００Ｔ，１００Ｔ’が含まれる。ここで、一対の単線ピンの内、一方の単線ピンは信号用であり、他方の単線ピンはグランド用である。また、同軸ピンには、水平転送パルス信号用同軸ピン１０４Ｓ、映像信号用同軸ピン１０４Ｖが含まれる。
【００６６】
次に、上記フレキシブル基板９９の構成について、図１３乃至図１６を参照して説明する。即ち、フレキシブル基板９９は、内視鏡回路部が実装される基板部を構成するＡ面、Ｂ面、Ｃ面及びＤ面が順に折り曲げ自在に連結されて形成されている。そして、ここでは、説明の便宜上、Ａ面、Ｂ面、Ｃ面、及び、Ｄ面の表面をＡ１面、Ｂ１面、Ｃ１面及びＤ１面、裏面をＡ２面、Ｂ２面、Ｃ２面及びＤ２面と称する。
【００６７】
上記口金８４の基板９８に対面して、フレキシブル基板９９のＣ１面（図１４参照）が配置されている。このＣ１面から反対側のＣ２面（図１５参照）まで、送気送水信号用スルーホール１０６ＳＷ１、切替信号用スルーホール１０６ＳＷ２、及び、情報信号用スルーホール１０６Ｄが貫通され、これらに送気送水信号用単線ピン１００ＳＷ１、切替信号用単線ピン１００ＳＷ２、及び、情報信号用単線ピン１００ＤがＣ１面側からＣ２面側へと夫々、挿入されている。
【００６８】
Ｃ２面において、送気送水信号用スルーホール１０６ＳＷ１、切替信号用スルーホール１０６ＳＷ２、及び、情報信号用スルーホール１０６Ｄの周辺には、夫々、送気送水信号用ピンランド１０８ＳＷ１、切替信号用ピンランド１０８ＳＷ２、及び、情報信号用ピンランド１０８Ｄが形成され、これらに送気送水信号用単線ピン１００ＳＷ１、切替信号用単線ピン１００ＳＷ２及び情報信号用単線ピン１００Ｄが夫々半田付けされている。送気送水信号用ピンランド１０８ＳＷ１、切替信号用ピンランド１０８ＳＷ２、及び、情報信号用ピンランド１０８Ｄは、夫々、Ｃ２面とＤ２面（図１５参照）との間のフレキシブル基板９９中の接続パターンを介して、Ｄ２面の送気送水信号用接続ランド１０９ＳＷ１、切替信号用接続ランド１０９ＳＷ２、及び、情報信号用接続ランド１０９Ｄに信号線を介して電気的に配線接続されている。
【００６９】
Ｃ２面とＤ２面との間には、弾性を有した弾性部である折曲り自在なＣＤ折曲部１２６が配設され、ＣＤ折曲部１２６を折り曲げることにより、Ｄ面は、Ｄ２面が電気コネクタ２８の中心軸と対面して、Ｃ面に略垂直に配置されている。また、Ｄ面は、Ｃ面に略垂直に互いに略平行に延びている、弾性を有した弾性部である折曲り自在な第１及び第２のＤ折曲部１３０ａ，１３０ｂを有する。
【００７０】
これら第１及び第２のＤ折曲部１３０ａ，１３０ｂによって、Ｄ２面は、ＣＤ折曲部１２６に連結されている情報ケーブル接続部１２８Ｄ、並びに、この情報ケーブル接続部１２８Ｄの側方に夫々配置されている送気送水ケーブル接続部１２８ＳＷ１、及び、切替ケーブル接続部１２８ＳＷ２に分割されている。送気送水ケーブル接続部１２８ＳＷ１には、送気送水ケーブル１１７ＳＷ１が接続されて、送気送水ケーブル１１７ＳＷ１から延出されている送気送水信号線が、送気送水ケーブル接続部１２８ＳＷ１に配置されている送気送水信号用接続ランド１０９ＳＷ１に半田付けされている。切替ケーブル接続部１２８ＳＷ２、及び、情報ケーブル接続部１２８Ｄについても同様である。そして、第１及び第２のＤ折曲部１３０ａ，１３０ｂを折り曲げることにより、Ｄ面は、Ｃ面の外周部に沿って配置されている。
【００７１】
一方、Ｃ１面からＣ２面まで、水平転送パルス信号用スルーホール１０６Ｓ、及び、一対のトランスファーゲートパルス／リセットパルス信号用スルーホール１０６Ｔ，１０６Ｔ’が貫通され、これらに水平転送パルス信号用同軸ピン１０４Ｓ、及び、一対のトランスファーゲートパルス／リセットパルス信号用単線ピン１００Ｔ，１００Ｔ’がＣ１面側からＣ２面側へと夫々挿通され、Ｃ２面に対面して配置されているＢ２面（図１５参照）へと突出している。
【００７２】
このＢ２面は、Ｃ２面に対して弾性を有した弾性部である折曲り自在なＣＢ折曲部１３１を介して連結され、このＣＢ折曲部１３１から折り曲げることにより、Ｃ２面から所定距離離間してＣ２面と略平行に配置されている。Ｂ２面にも、Ｃ２面の水平転送パルス信号用スルーホール１０６Ｓ、及び、一対のトランスファーゲートパルス／リセットパルス信号用スルーホール１０６Ｔ，１０６Ｔ’に夫々アラインメントされて、水平転送パルス信号用スルーホール１０６Ｓ、及び、一対のトランスファーゲートパルス／リセットパルス信号用スルーホール１０６Ｔ，１０６Ｔ’が形成されている。
【００７３】
Ｂ２面からＢ１面（図１４参照）まで、水平転送パルス信号用スルーホール１０６Ｓ、及び、一対のトランスファーゲートパルス／リセットパルス信号用スルーホール１０６Ｔ，１０６Ｔ’が貫通され、これらに水平転送パルス信号用同軸ピン１０４Ｓ、及び、一対のトランスファーゲートパルス／リセットパルス信号用単線ピン１００Ｔ，１００Ｔ’がＢ２面側からＢ１面側へと夫々挿入されている。
【００７４】
Ｂ１面において、水平転送パルス信号用スルーホール１０６Ｓの周辺には、一対の水平転送パルス信号用ピンランド１０８Ｓ，１０８Ｓ’が形成され、これらに水平転送パルス信号用同軸ピン１０４Ｓが半田付けされている。また、一対のトランスファーゲートパルス／リセットパルス信号用スルーホール１０６Ｔ，１０６Ｔ’の周辺には、トランスファーゲートパルス／リセットパルス信号用ピンランド１０８Ｔ，１０８Ｔ’が形成され、これらに一対のトランスファーゲートパルス／リセットパルス信号用単線ピン１００Ｔ，１００Ｔ’が夫々半田付けされている。
【００７５】
信号用の水平転送パルス信号用ピンランド１０８Ｓ、及び、信号用のトランスファーゲートパルス／リセットパルス信号用ピンランド１０８Ｔは、夫々、Ｂ１面に配置されている第１のリレー回路６６ａに電気的に配線接続されている。この第１のリレー回路６６ａは、Ｂ１面に配置されている信号用の第１及び第２の水平転送パルス信号用接続ランド１０９Ｓ１，１０９Ｓ２、信号用の第１のトランスファーゲートパルス信号用接続ランド１０９Ｔ１、及び、信号用の第２のリセットパルス信号用接続ランド１０９Ｔ２に電気的に接続されている。
【００７６】
一方、グランド用の水平転送パルス信号用ピンランド１０８Ｓ’は、Ｂ１面に配置されているグランド用の第１及び第２の水平転送パルス信号用接続ランド１０９Ｓ１’，１０９Ｓ２’に電気的に接続されている。また、上記グランド用のトランスファーゲートパルス／リセットパルス信号用ピンランド１０８Ｔ’は、Ｂ１面に配置されているグランド用の第１のトランスファーゲートパルス信号用接続ランド１０９Ｔ１’に電気的に接続されている。
【００７７】
第１の撮像ケーブル１１７Ｃ１から延出されている同軸線の第１の水平転送パルス信号線は、Ｂ１面の一対の第１の水平転送パルス信号用接続ランド１０９Ｓ１，１０９Ｓ１’に半田付けされている。第２の撮像ケーブル１１７Ｃ２の第２の水平転送パルス信号線についても同様である。
【００７８】
また、第１の撮像ケーブル１１７Ｃ１から延出されている同軸線の第１のトランスファーゲートパルス信号線は、Ｂ１面の一対の第１のトランスファーゲートパルス信号用接続ランド１０９Ｔ１，１０９Ｔ１’に電気的に配線接続されている。
【００７９】
そして、第２の撮像ケーブル１１７Ｃ２から延出されている同軸線の第２のリセットパルス信号線は、Ｂ１面の信号用の第２のリセットパルス信号用接続ランド１０９Ｔ２、及び、グランド用のトランスファーゲートパルス／リセットパルス信号用ピンランド１０８Ｔ’に電気的に配線接続されている。
【００８０】
一方、Ｃ１面からＣ２面まで、一対の垂直転送パルス信号用スルーホール１０６Ｐ，１０６Ｐ’が貫通され、これらに一対の垂直転送パルス信号用単線ピン１００Ｐ，１００Ｐ’がＣ１面側からＣ２面側へと夫々挿入されている。
【００８１】
Ｃ２面において、垂直転送パルス信号用スルーホール１０６Ｐ，１０６Ｐ’の周辺には、夫々、垂直転送パルス信号用ピンランド１０８Ｐ，１０８Ｐ’が形成され、これらに垂直転送パルス信号用単線ピン１００Ｐ，１００Ｐ’が夫々半田付けされている。信号用の垂直転送パルス信号用ピンランド１０８Ｐは、Ｃ２面とＡ１面（図１４参照）との間のフレキシブル基板９９中の接続パターンを介して、Ａ１面の第２のリレー回路６６ｂに電気的に接続されている。この第２のリレー回路６６ｂは、Ａ面中の接続パターンを介して、Ａ１面に配置されている信号用の第１及び第２の垂直転送パルス信号用接続ランド１０９Ｐ１，１０９Ｐ２に電気的に接続されている。
【００８２】
一方、Ｃ２面のグランド用の垂直転送パルス信号用ピンランド１０８Ｐ’は、Ｃ２面とＡ１面との間のフレキシブル基板９９中の接続パターンを介して、Ａ１面に配置されているグランド用の第１及び第２の垂直転送パルス信号用接続ランド１０９Ｐ１’，１０９Ｐ２’に電気的に接続されている。
【００８３】
また、上記水平転送パルス信号用同軸ピン１０４Ｓと同様に、映像信号用同軸ピン１０４Ｖは、Ｃ１面からＣ２面まで貫通されている映像信号用スルーホール１０６Ｖを挿通され、Ｂ２面からＢ１面まで貫通されている映像信号用スルーホール１０６Ｖに挿入され、Ｂ１面において映像信号用スルーホール１０６Ｖの周辺に形成されている一対の映像信号用ピンランド１０８Ｖ，１０８Ｖ’に半田付けされている。
【００８４】
信号用の映像信号用ピンランド１０８Ｖは、Ｂ１面とＡ１面との間のフレキシブル基板９９中の接続パターンを介して、第２のリレー回路６６ｂに電気的に接続され、この第２のリレー回路６６ｂは、Ａ１面に配置されている信号用の第１及び第２の映像信号用接続ランド１０９Ｖ１，１０９Ｖ２に電気的に接続されている。
【００８５】
一方、グランド用の映像信号用ピンランド１０８Ｖ’は、Ｂ１面とＡ１面との間のフレキシブル基板９９中の接続パターンを介して、Ａ１面に配置されているグランド用の第１及び第２の映像信号用接続ランド１０９Ｖ１’，１０９Ｖ２’に電気的に接続されている。
【００８６】
さらに、Ｂ１面とＡ１面との間には、弾性を有した弾性部である折り曲げ自在なＢＡ折曲部１３２が配設され、ＢＡ折曲部１３２を折り曲げることにより、Ａ面は、Ａ１面が電気コネクタ２８の中心軸と対面されて、Ｂ面に略垂直に配置されている。また、Ａ面は、Ｂ１面に略垂直に互いに略平行に順に並設されている、弾性を有した弾性部である折り曲げ自在な第１乃至第４のＡ折曲部１３４ａ，１３４ｂ，１３４ｃ，１３４ｄを有する。
【００８７】
ＢＡ折曲部１３２にリレー回路搭載部１３６が連結され、このリレー回路搭載部１３６の一側方へと、第１のＡ折曲部１３４ａ、第１の撮像ケーブル接続ランド部１２９Ｃ１、第２のＡ折曲部１３４ｂ、第１の撮像ケーブル接続部１２８Ｃ１、第３のＡ折曲部１３４ｃ、第２の撮像ケーブル接続ランド部１２９Ｃ２、第４のＡ折曲部１３４ｄ、第２の撮像ケーブル接続部１２８Ｃ２が順に配置されている。
【００８８】
また、上記リレー回路搭載部１３６には、第２のリレー回路６６ｂが搭載されている。また、第１の撮像ケーブル接続部１２８Ｃ１には、第１の撮像ケーブル１１７Ｃ１の接続端部がＢ１面に近接する位置に固定され、第１の撮像ケーブル１１７Ｃ１から延出されている同軸線の第１の垂直転送パルス信号線及び第１の映像信号線は、夫々、一対の第１の撮像ケーブル接続ランド部１２９Ｃ１に配置されている第１の垂直転送パルス信号用接続ランド１０９Ｐ１，１０９Ｐ１’、及び、一対の第１の映像信号用接続ランド１０９Ｖ１，１０９Ｖ１’に半田付けされている。第２の撮像ケーブル１１７Ｃ２、第２の撮像ケーブル接続部１２８Ｃ２、及び、第２の撮像ケーブル接続ランド部１２９Ｃ２についても同様である。
【００８９】
そして、第１乃至第４のＡ折曲部１３４ａ，１３４ｂ，１３４ｃ，１３４ｄを折り曲げることにより、フレキシブル基板９９は、そのＡ面が、Ｄ面と重なることなくＢ面の外周部に沿って八角柱形状に折り曲げ配置される。
【００９０】
なお、基板９８とフレキシブル基板９９のＣ面とは、送気送水信号用単線ピン１００ＳＷ１等を送気送水信号用ピンランド１０８ＳＷ１等に半田付けすることにより互いに位置決めされている。そして、フレキシブル基板９９のＣ面とＢ面とは、水平転送パルス信号用同軸ピン１０４Ｓ等を水平転送パルス信号用ピンランド１０８Ｓ，１０８Ｓ’等に半田付けすることにより互いに位置決めされている。
【００９１】
このフレキシブル基板９９は、図１６に示すようにシールド筒１１０内において軸方向に垂直な断面が略八角形の一端部が、開口している略八角柱形状に折り曲げられて、内部空間１４０が形成される。ここで、フレキシブル基板９９は、そのＡ１面とＤ２面とが内周面を形成し、その内部空間１４０に上記切替ケーブル１１７ＷＳ等の接続端部、第１及び第２のリレー回路６６ａ，６６ｂが収容されている。これにより、切替回路部２６がコンパクトな構成となり、コネクタ部４９全体をコンパクトな構成に形成することが可能となる。
【００９２】
また、このフレキシブル基板９９は、上記シールド筒１１０内に共軸に収容され、その外周部とシールド筒１１０との間に離間手段を構成する、例えば絶縁材料製の筒状をしたスペーサ２０１が介在される。このスペーサ２０１は、上述したように折り曲げ収容したフレキシブル基板９９を折り曲げ位置において保持して、上記シールド筒１１０と電気的に分離（離間）する。
【００９３】
このように、フレキシブル基板９９は、シールド筒１１０に対してスペーサ２０１を介在し、該スペーサ２０１により所定距離、離間されると共に、折り曲げ状態に保持され、電気的に分離されて収容されることにより、高密度実装化の促進を図ったうえで、シールド筒１１０の小型化を図ることができる。
【００９４】
上記構成において、観察使用する場合には、先ず、通常光観察モードでは、第１のＣＣＤ情報記憶部６８ａから、第１の情報信号ΦＤ１が、情報リレー回路６４、情報信号線、フレキシブル基板９９のＤ２面の情報信号用接続ランド１０９Ｄ、Ｄ２面とＣ２面との間の接続パターン、Ｃ２面の情報信号用ピンランド１０８Ｄ、及び、情報信号用単線ピン１００Ｄを介して、プロセッサ４６の駆動回路７０に伝送される。
【００９５】
この後、駆動回路７０から、第１の垂直転送パルス信号ΦＰ１が、垂直転送パルス信号用単線ピン１００Ｐ、Ｃ２面の垂直転送パルス信号用ピンランド１０８Ｐ、Ｃ２面とＡ１面との間の接続パターン、Ａ１面の第２のリレー回路６６ｂ、Ａ面の接続パターン、Ａ１面の第１の垂直転送パルス信号用接続ランド１０９Ｐ１、及び、第１の垂直転送パルス信号線を介して第１の撮像ユニット２４ａに伝送される。
【００９６】
また、駆動回路７０から、第１の水平転送パルス信号ΦＳ１が、水平転送パルス信号用同軸ピン１０４Ｓ、Ｂ１面の水平転送パルス信号用ピンランド１０８Ｓ、Ｂ面の接続パターン、Ｂ１面の第１のリレー回路６６ａ、Ｂ面の接続パターン、及び、Ｂ１面の第１の水平転送パルス信号用接続ランド１０９Ｓ１、及び、第１の水平転送パルス信号線を介して第１の撮像ユニット２４ａに伝送される。
【００９７】
そして、駆動回路７０から、第１のトランスファーゲートパルス信号ΦＴ１が、トランスファーゲートパルス／リセットパルス信号用単線ピン１００Ｔ、Ｂ１面のトランスファーゲートパルス／リセットパルス信号用ピンランド１０８Ｔ、Ｂ面の接続パターン、Ｂ１面の第１のリレー回路６６ａ、Ｂ面の接続パターン、Ｂ１面の第１のトランスファーゲートパルス信号用接続ランド１０９Ｔ１、及び、第１のトランスファーゲートパルス信号線を介して第１の撮像ユニット２４ａに伝送される。このようにして、第１の撮像ユニット２４ａが駆動される。
【００９８】
この後、第１の撮像ユニット２４ａから、第１の映像信号Ｖｏｕｔ１が、第１の映像信号線、Ａ１面の第１の映像信号用接続ランド１０９Ｖ１、Ａ面の接続パターン、Ａ１面の第２のリレー回路６６ｂ、Ａ１面とＢ１面との間の接続パターン、Ｂ１面の映像信号用ピンランド１０８Ｖ、及び、映像信号用同軸ピン１０４Ｖを介してプロセッサ４６の映像処理回路７２に伝送され、モニター７４に通常光観察画像が表示される。
【００９９】
蛍光観察モードでは、第２のＣＣＤ情報記憶部６８ａから、第２の情報信号ΦＤ２が、通常光観察モードの第１の情報信号ΦＤ１と同様に、プロセッサ４６の駆動回路７０に伝送される。
【０１００】
この後、駆動回路７０から、第２の垂直転送パルス信号ΦＰ２が、Ａ１面の第２のリレー回路６６ｂ、Ａ面の接続パターン、Ａ１面の第２の垂直転送パルス信号用接続ランド１０９Ｐ２、及び、第２の垂直転送パルス信号線を介して第２の撮像ユニット２４ｂに伝送される。
【０１０１】
また、駆動回路７０から、第２の水平転送パルス信号ΦＳ２が、Ｂ１面の第２のリレー回路６６ａ、Ｂ面の接続パターン、Ｂ１面の第２の水平転送パルス信号用接続ランド１０９Ｓ２、及び、第２の水平転送パルス信号線を介して第２の撮像ユニット２４ｂに伝送される。そして、駆動回路７０から、第２のリセットパルス信号ΦＲＳ２が、Ｂ１面の第１のリレー回路６６ａ、Ｂ面の接続パターン、Ｂ１面の第２のリセットパルス信号用接続ランド１０９Ｔ２、及び、第２のリセットパルス信号線を介して第２の撮像ユニット２４ｂに伝送される。このようにして、第２の撮像ユニット２４ｂが駆動される。
【０１０２】
この後、第２の撮像ユニット２４ｂから、第２の映像信号Ｖｏｕｔ２が、第２の映像信号線、Ａ１面の第２の映像信号用接続ランド１０９Ｖ２、Ａ面の接続パターン、Ａ１面の第２のリレー回路６６ｂを介してプロセッサ４６の映像処理回路７２に伝送され、モニター７４に蛍光観察画像が表示される。
【０１０３】
上記実施の形態の構成によれば、切替回路部２６が電気コネクタ２８に配設されているため、切替回路部２６を操作部２７等に配設した場合と比較して、症例中にほとんど動かないことで、断線のリスクが低く、しかも、操作者に保持されて操作される操作部２７等の小型化を促進することができるため、内視鏡１６の操作性が向上される。また、先端硬質部２０に切替回路部２６を配した場合と比較して、挿入部１８の細径化を図ることができる。
【０１０４】
そして、切替回路部２６が電気コネクタ２８に直接接続されているため、切替回路部２６と電気コネクタ２８との間を接続する構成が必要なく、部品構成が簡単化されている。このため、内視鏡１６の構成がさらに簡単化することが可能となる。
【０１０５】
また、これによれば、シールド筒１１０内に折り曲げ収容するのに、フレキシブル基板９９の外周部とシールド筒１１０との間に絶縁性を有したスペーサ２０１を介在し、このスペーサ２０１で、フレキシブル基板９９とシールド筒１１０とを電気的に分離するようにしていることにより、電気コネクタ２８の小型化を確保したうえで、フレキシブル基板への高密度実装化の促進を図ることができる。
【０１０６】
そして、上記グランド層を有するフレキシブル基板９９は、Ａ面、Ｂ面、Ｃ面及びＤ面を筒形状に折り曲げられて内部空間１４０を形成して、この内部空間１４０に切替ケーブル１１７ＳＷ２等の接続端部、及び、フレキシブル基板９９に搭載されている第１及び第２のリレー回路６６ａ，６６ｂが収容されている。このように、これら切替ケーブル１１７ＳＷ２等の接続端部、第１及び第２のリレー回路６６ａ，６６ｂは、上記フレキシブル基板９９によって、内部空間１４０が磁気的に遮蔽される構成となっており、このフレキシブル基板９９とシールド筒１１０とで協働して外部からの電磁場によってノイズが発生することが防止される。
【０１０７】
また、上記電気コネクタ２８に配されるフレキシブル基板９９とシールド筒１１０とを電気的に分離する離間手段としては、上記実施例に限るものでなく、その他、例えば図１７乃至図２０に示すように構成してもよく、同様の効果が期待される。但し、この図１７乃至図２０に示す実施例においては、上記図８乃至図１６と同一部分について同一符号を付して、その詳細な説明を省略する。
【０１０８】
図１７に示す離間手段は、フレキシブル基板９９のＡ面、Ｂ面、Ｃ面及びＤ面を筒形状に折り曲げて内部空間１４０を形成して、その外周部側の少なくとも一部に絶縁テープ２０２を巻回する。これにより、絶縁テープ２０２は、フレキシブル基板９９の外周部を保持してシールド筒１１０から電気的に分離する。
【０１０９】
また、図１８に示す離間手段は、フレキシブル基板９９のＡ面、Ｂ面、Ｃ面及びＤ面を筒形状に折り曲げて内部空間１４０を形成して、複数の絶縁性材料性のスペーサ２０３を、その外周部側の一部、例えばＡ面の第１乃至第４のＡ折曲部１３４ａ，１３４ｂ，１３４ｃ，１３４ｄ、Ｄ面の第１及び第２のＤ折曲部１３ａ，１３０ｂを含む各近傍の外周側に対向して配する。これにより、スペーサ２０３は、フレキシブル基板９９の角部を保持してシールド筒１１０から離間させると共に、折り曲げ状態を保持して電気的に分離する。
【０１１０】
図１９に示す離間手段は、フレキシブル基板９９のＡ面、Ｂ面、Ｃ面及びＤ面を筒形状に折り曲げて内部空間１４０を形成して、複数の絶縁性材料性のスペーサ２０４を、そのＡ面リレー回路搭載部１３６、第１の撮像ケーブル接続ランド部１２９Ｃ１、第１の撮像ケーブル接続部１２８Ｃ１、第２の撮像ケーブル接続ランド部１２９Ｃ２、第２の撮像ケーブル接続部１２８Ｃ２、及び、Ｄ面の情報ケーブル接続部１２８Ｄ、送気送水ケーブル接続部１２８ＳＷ１、切替ケーブル接続部１２８ＳＷ２のスルーホール部位の外周部側を覆うように配する。これにより、スペーサ２０４は、フレキシブル基板９９のＡ面、及び、Ｄ面をシールド筒１１０から離間させると共に、折り曲げ状態を保持して電気的に分離する。
【０１１１】
図２０に示す離間手段は、フレキシブル基板９９のＡ面、Ｂ面、Ｃ面及びＤ面を筒形状に折り曲げて内部空間１４０を形成して、例えばその内部空間１４０の略中心に支柱２０５を挿入してＢ面及びＣ面を挿通させ、その端部を基板９８に固定する。そして、この支柱２０５には、複数、例えば７本の線材２０６の一端が放射状に取付けられ、この線材２０６の他端は、上記Ａ面のリレー回路搭載部１３６、第１の撮像ケーブル接続ランド部１２９Ｃ１、第１の撮像ケーブル接続部１２８Ｃ１、第２の撮像ケーブル接続ランド部１２９Ｃ２、第２の撮像ケーブル接続部１２８Ｃ２、及びＤ面の切替ケーブル接続部１２８ＳＷ２、情報ケーブル接続部１２８Ｄに取付けられる。
【０１１２】
ここで、線材２０６は、支柱２０５を中心としてフレキシブル基板９９のＡ面及びＤ面を、略八角柱形状に折り曲げられて内部空間１４０を形成した状態で保持して、該フレキシブル基板９９をシールド筒１１０から離間させると共に、折り曲げ状態を保持して電気的に分離する。
【０１１３】
このようなフレキシブル基板９９をシールド筒１１０から離間させると共に、折り曲げ状態を保持する離間手段としては、その他、各種の分離構造を、構成することが可能である。
【０１１４】
また、上記実施の形態では、フレキシブル基板９９の折り曲げ形状として、略八角柱形状に折り曲げ収容するように構成した場合について説明したが、これに限るものでなく、その他の多角柱形状等、各種の形状のものにおいても適用可能である。
【０１１５】
ここで、上述したようにフレキシブル基板２６１，９９は、印刷基板自体がフレキシブル板によって形成され、弾性を有する弾性部を備える。
【０１１６】
また、この発明は、印刷基板として、印刷基板自体がフレキシブル板によって形成され、弾性を有する弾性部を備えるフレキシブル基板構造に限るものでなく、硬質基板を、弾性を有した弾性部で折り曲げ自在に連設した印刷基板を用いて構成することも可能で、同様の効果が期待される。
【０１１７】
さらに、上記各実施の形態では、第１及び第２の撮像ユニットとして、通常光観察用の撮像ユニットと蛍光観察用の撮像ユニットとを用いている。しかしながら、第１の撮像ユニットと第２の撮像ユニットとして様々な撮像ユニットを用いることが可能であり、例えば、通常光観察用の撮像ユニット、蛍光観察用の撮像ユニット、及び、拡大観察用の撮像ユニット、あるいは赤外線観察等の特殊光観察用撮像ユニット等を任意に組み合わせて使用することが可能である。
【０１１８】
そして、この撮像ユニット構成としては、上記説明では、二つの撮像ユニットを備える構成に適用した場合で説明したが、これに限ることなく、その他、一つの撮像ユニットを備える内視鏡構成においても適用可能で、同様の効果が期待される。
【０１１９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【０１２０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【０１２１】
また、この発明は、上記実施の形態によれば、その他、次のような構成を得ることもできる。
【０１２２】
（付記１）
外部装置に接続され、電気接点を備えたコネクタ部と、
前記コネクタ部に接続される内視鏡回路部が実装された複数の基板部が折り曲げ可能に連設された印刷基板と、
前記印刷基板を、前記基板部を折り曲げた状態で収容される収容体と、
前記収容体に収容した前記印刷基板を、前記収容体内の導電部位と電気的に分離する離間手段と、
を具備することを特徴とする内視鏡。
【０１２３】
（付記２）
前記離間手段は、スペーサであることを特徴とする付記１記載の内視鏡。
【０１２４】
（付記３）
前記スペーサは、絶縁性を有することを特徴とする付記２記載の内視鏡。
【０１２５】
（付記４）
前記スペーサは、絶縁テープであることを特徴とする付記２記載の内視鏡。
【０１２６】
（付記５）
前記スペーサは、前記折り曲げ収容された印刷基板の外周部の少なくとも一部を覆うことを特徴とする付記２又は３記載の内視鏡。
【０１２７】
（付記６）
前記離間手段は、前記折り曲げ収容された印刷基板の復帰力に抗して保持して電気的に分離することを特徴とする付記１記載の内視鏡。
【図面の簡単な説明】
【０１２８】
【図１】この発明の一実施の形態に係る内視鏡を用いる内視鏡システムの概略構成を示した図である。
【図２】図１の内視鏡に搭載される切替回路部の配置構成を説明するために示した図である。
【図３】図２の切替回路部をスペーサで挟装した収納状態を示した図である。
【図４】図１の内視鏡システムの構成を示したブロック図である。
【図５】この発明の他の実施の形態に係る内視鏡の要部を取出して示した図である。
【図６】この発明の他の実施の形態に係る内視鏡の要部を取出して示した図である。
【図７】図６の操作部に内装した切替回路部の配置状態を示した図である。
【図８】この発明の他の実施の形態に係る内視鏡に適用される電気コネクタを取出して示した図である。
【図９】図８の同軸ピンの基端側を示した図である。
【図１０】図８の同軸ピンの基端側の他の例を示した図である。
【図１１】図８の同軸ピンの基端側の他の例を示した図である。
【図１２】図８のシールド筒及びシールド蓋を分解して示した図である。
【図１３】図８の電気コネクタに組付けられるフレキシブル基板の組立て途中を説明するために示した図である。
【図１４】図９のフレキシブル基板の展開した状態における表面側を示した図である。
【図１５】図９のフレキシブル基板の展開した状態における裏面側を示した図である。
【図１６】図８の電気コネクタのＸ−Ｘを断面して示した図である。
【図１７】図８の電気コネクタの離間手段の他の例を示した図である。
【図１８】図８の電気コネクタの離間手段の他の例を示した図である。
【図１９】図８の電気コネクタの離間手段の他の例を示した図である。
【図２０】図８の電気コネクタの離間手段の他の例を示した図である。
【符号の説明】
【０１２９】
１４…内視鏡システム、１６…内視鏡、１８…挿入部、２０…先端硬質部、２４ａ，２４ｂ…撮像手段、２６…切替回路部、２６１…フレキシブル基板、２６ａ…基板部、２６ｂ…折曲部、２６ｃ…突部、２６２，２６３…スペーサ、２７…操作部、２８…電気コネクタ、３０…把持部シーケンス、３６…操作部シーケンス、４４…ケーブル、４６…外部機器、４９…コネクタ部、９９…フレキシブル基板、１０４Ｓ，１０４Ｖ…同軸ピン、１０４Ｓａ，１０４Ｖａ…芯線、１０４Ｓｂ，１０４Ｖｂ、１０４Ｓｃ，１０４Ｖｃ，１０４Ｓｄ，１０４Ｖｄ…グランド接続部、１１０…シールド筒、１１１…第２のフランジ部、１１１ａ…雄ねじ、１１２…シールド蓋、１１２ａ…開口、２００…絶縁部材、２０１…スペーサ、２０２…絶縁テープ、２０３，２０４…スペーサ、２０５…支柱、２０６…線材。
【図１】
2007229085.tif 000003
【図２】
2007229085.tif 000004
【図３】
2007229085.tif 000005
【図４】
2007229085.tif 000006
【図５】
2007229085.tif 000007
【図６】
2007229085.tif 000008
【図７】
2007229085.tif 000009
【図８】
2007229085.tif 000010
【図９】
2007229085.tif 000011
【図１０】
2007229085.tif 000012
【図１１】
2007229085.tif 000013
【図１２】
2007229085.tif 000014
【図１３】
2007229085.tif 000015
【図１４】
2007229085.tif 000016
【図１５】
2007229085.tif 000017
【図１６】
2007229085.tif 000018
【図１７】
2007229085.tif 000019
【図１８】
2007229085.tif 000020
【図１９】
2007229085.tif 000021
【図２０】
2007229085.tif 000022